(57)【要約】【課題】インダクタンス素子において、コアの固定とノイズ対策を簡便に実現する。【解決手段】配線基板に実装されるインダクタンス素子である。巻線が施されたコイルボビン２に一対のコア３、４がはめ込まれ、これらコアが金属製の固定金具５によりクリップされて組み付けられている。固定金具５はシールド機能を有し、インダクタンス素子の漏洩磁束を遮断するシールドとして機能する。また、固定金具５には配線基板７に固定するための端子部が設けられており、取り付け状態が補強される。【選択図】　図１
2004119940.tif 000002
【特許請求の範囲】
【請求項１】
配線基板に実装されるインダクタンス素子において、
巻線が施されたコイルボビンに一対のコアがはめ込まれるとともに、これらコアが金属製の固定金具により押圧支持されてなり、
上記固定金具は、シールド機能を有するとともに、当該固定金具を配線基板に固定するための端子部が設けられていることを特徴とするインダクタンス素子。
【請求項２】
上記端子部は、配線基板に設けられた接地電極と電気的に接続されていることを特徴とする請求項１記載のインダクタンス素子。
【請求項３】
上記固定金具は、上記コアを挟み込み弾性力によりコアを押圧支持するクリップ部を有することを特徴とする請求項１記載のインダクタンス素子。
【請求項４】
上記固定金具は、上記コアの３方をシールドすることを特徴とする請求項１記載のインダクタンス素子。
【請求項５】
トランスであることを特徴とする請求項１記載のインダクタンス素子。
【請求項６】
ラインフィルターであることを特徴とする請求項１記載のインダクタンス素子。
【発明の詳細な説明】
【０００１】
【発明の属する技術分野】
本発明は、トランスやラインフィルタ等として用いられるインダクタンス素子に関するものであり、特に、そのシールド構造の改良に関する。
【０００２】
【従来の技術】
例えばスイッチング電源に用いられるトランスとしては、１次コイルや２次コイルを巻回したボビンに磁芯となるコアを組み付けた構造のものが知られている。かかる構造を有するトランスでは、ボビンに設けられた端子ピンに各コイルの末端部分を巻き付け、これをプリント配線基板に設けられたスルーホールに挿入して半田付けすることによりプリント配線基板への実装を行っている。
【０００３】
ところで、上記スイッチング電源は、他の電子部品に比べて電磁気妨害（ＥＭＩ）が大きく、電磁波による悪影響が周辺に及ぶ虞れがある。特に、電子機器の小型化に伴って部品実装の高密度化が進められており、前記の問題が顕著になっている。
【０００４】
そこで、各種シールド構造が提案されており、例えば特許文献１には、基板に実装されたインダクタンス素子（トランス）の引き出し線と端子との接続部を囲むようにして、金属製のシールド板を基板に半田付け接続したシールド構造が開示されている。また、特許文献２には、回路基板に実装されたコイル部品（トランス）と対向するマザー基板表面に磁性体薄板を貼着したシールド構造が開示されている。いずれにおいても、シールド板あるいは磁性体薄板によりインダクタンス素子からの漏洩磁束が低減され、他の電子部品への悪影響が抑制される。
【０００５】
【特許文献１】
特開平１０−３３５１６０号公報
【０００６】
【特許文献２】
特開２０００−１２４６５６号公報
【０００７】
【発明が解決しようとする課題】
しかしながら、これら先行技術では、いずれもシールド機能を有する部材（シールド板や磁性体薄板）をインダクタンス素子とは別に配線基板に実装する必要があり、取り付けが煩雑であるという問題がある。また、シールド機能を有する部材とインダクタンス素子との距離はなるべく近い方が効果が高いと考えられるが、これらを別々に取り付ける場合、距離を近づけるにも限度がある。
【０００８】
一方、インダクタンス素子自体の構造についても、解決すべき課題が残されている。特に、分割されたコアを組み付ける構造のインダクタンス素子では、コアの組み付けをどのようにして行うかが問題になる。従来技術では、例えば絶縁性ワニスを用いて固定したり、絶縁テープで固定することが行われているが、いずれも煩雑な作業が要求され、生産性の低下の原因となっている。
【０００９】
本発明は、これら従来技術の有する問題点を解消することを目的に提案されたものであり、コアの固定とノイズ対策を簡便に実現することが可能なインダクタンス素子を提供することを目的とする。
【００１０】
【課題を解決するための手段】
上述の目的を達成するために、本発明は、配線基板に実装されるインダクタンス素子において、巻線が施されたコイルボビンに一対のコアがはめ込まれるとともに、これらコアが金属製の固定金具により押圧支持されてなり、上記固定金具は、シールド機能を有するとともに、当該固定金具を配線基板に固定するための端子部が設けられていることを特徴とする。
【００１１】
本発明のインダクタンス素子では、金属製の固定金具でクリップすることによりコアの組み付けが行われる。したがって、絶縁性ワニスや絶縁テープ等による固定が不要であり、簡単に固定することが可能である。
【００１２】
また、上記金属製の固定金具は、シールド機能を有しており、上記固定と同時にシールド対策も行われる。したがって、シールド部材を別途配線基板に実装する必要がなく、取り付け作業が簡略化される。また、固定金具はコアに接することになるので、インダクタンス素子とシールドの距離は最小となり、高いシールド効果が得られる。
【００１３】
【発明の実施の形態】
以下、本発明を適用したインダクタンス素子について、図面を参照しながら説明する。
【００１４】
図１及び図２に本発明を適用したスイッチング素子、特に磁芯横置き型のトランスの一例を示す。図１は、本発明を適用したトランスをプリント配線基板に実装した状態を示すものであり、図２は、本発明を適用したトランスを分解した状態を示すものである。
【００１５】
本例のトランスは、１次コイルや２次コイル等の巻線１を巻回したコイルボビン２と、コイルボビン２の巻芯孔２ａに挿入される一対のコア３，４と、これらコア３，４の組み付けを行う金属製の固定金具５とから構成されている。
【００１６】
コイルボビン２は、例えばプラスチックの成型品からなり、両端にフランジ２ｂ，２ｃを有している。したがって、コイルボビン２に巻回された巻線１は、これらフランジ２ｂ，２ｃによって巻回範囲が規制され、コイルボビン２からの脱落が防止されている。
【００１７】
また、コイルボビン２の底面部分には、複数の金属製の端子ピン６が所定の間隔で植立されており、上記各コイル、すなわち巻線１の末端がそれぞれ巻き付けられている。
【００１８】
上記コア３，４は、例えばフェライト等の磁性材料からなり、上記コイルで発生した磁束を収束する役割を果たすものである。本例では、２分割された各コア３，４は、それぞれＥ字形状を有しており、そのセンターコア３ａ，４ａが上記コイルボビン２の巻芯孔２ａに挿入され、先端同士が付き合わされている。
【００１９】
これらコア３，４は、上記固定金具５によってクリップされる形で固定されており、コイルボビン２に対して機械的に組み付けられている。金属製の固定金具５は、シールド機能を有しており、したがって、固定金具５によるコア３，４の固定は、コア３，４同士を単に機械的に結合するだけでなく、シールド対策にもなる。
【００２０】
図３は、上記固定金具５によるコア３，４の組み付け状態を示すものである。固定金具５は、コア３，４を両側から押圧する押圧片（クリップ部）５ａ，５ｂを有しており、これら押圧片５ａ，５ｂが連結片５ｃによって連結され、略々コ字状を呈している。したがって、コア３，４に取り付けた際には、コア３，４の３方をシールドすることになる。したがって、この固定金具５のコア３，４に対する取り付け方向は、周囲の部品配置に応じて決定することが好ましい。例えば、漏洩磁束の影響を受けやすい部品が実装される側に固定金具５が配置されるように取り付ける。
【００２１】
各押圧片５ａ，５ｂは、それぞれ湾曲されて円弧状の形状を有し、図３（ａ）に示すように、その間隔Ｗは、突き合わされるコア３，４の寸法Ｄよりも小さくなるように設定されている。したがって、図３（ｂ）に示すように、これら押圧片５ａ，５ｂを押し広げてコア３，４に取り付けた際には、金属板であるこれら押圧片５ａ，５ｂの弾性力によって図中矢印方向に押圧され、その結果、これらコア３，４が機械的に結合されることになる。
【００２２】
また、上記固定金具５は、上記連結片５ｃの中央部がピン状に延長されて端子部５ｄが設けられている。この端子部５ｄは、上記構造のトランスがプリント配線基板７に実装した際に、同時にプリント配線基板７に固定され、機械的な補強と電気的な接続を図るものである。なお、本例では、この端子部５ｄを１カ所にのみ設けているが、これに限らず、複数形成することも可能である。上記端子部５ｄを複数箇所に設けることにより、取り付け強度をより一層向上することができる。
【００２３】
以上の構成を有するインダクタンス素子は、上記コイルボビン２に設けられた端子ピン６をプリント配線基板７に形成されたスルーホール８に挿入するとともに、上記固定金具５に設けられた端子部５ｄをスルーホール９に挿入し、これらを半田付けすることにより電気的及び機械的に結合され、プリント配線基板７に実装される。
【００２４】
コイルボビン２に巻回された巻線１の各端部は、これら端子ピン６を介してプリント配線基板７のスルーホール８においてそれぞれ所定の配線パターンと電気的に接続され、所定の電気回路に組み込まれる。同様に、上記固定金具５も端子部５ｄを介してプリント配線基板７のスルーホール９において接地（アース）パターンと電気的に接続されている。したがって、トランスで発生する漏洩磁束は、固定金具５で渦電流に変換され、この端子部５ｄやスルーホール９を通って速やかに逃がされる。
【００２５】
以上、本発明をスイッチング電源等に用いられるトランスに適用した例について説明したが、本発明は、トランスのみならずラインフィルター等にも適用可能である。ラインフィルターにおいても、コイルボビンにコアを挿入した構造のものが知られており、上記の例と同様、金属製の固定金具でこれらコアを組み付けるようにすればよい。
【００２６】
【発明の効果】
以上の説明からも明らかなように、本発明によれば、シールド機能を有する固定金具によってコアを組み付けることで、コアの機械的な固定とノイズ対策を同時に行うことができる。したがって、組み立て作業を簡略化することが可能である。また、上記固定金具にもプリント配線基板に固定するための端子部を設けているので、プリント配線基板に対する取り付け構造が補強され強固なものとなる。
【図面の簡単な説明】
【図１】トランスのプリント配線基板に対する実装構造を示す斜視図である。
【図２】トランスの分解斜視図である。
【図３】固定金具によるコアの固定状態を示す平面図であり、（ａ）は固定金具取り付け前の状態を示し、（ｂ）は固定金具取り付け後の状態を示す。
【符号の説明】
１　　巻線
２　　コイルボビン
３，４　　コア
５　　固定金具
５ａ，５ｂ　　押圧片（クリップ部）
５ｄ　　端子部
６　　端子ピン
７　　プリント配線基板
【図１】
2004119940.tif 000003
【図２】
2004119940.tif 000004
【図３】
2004119940.tif 000005